(57)【要約】      （修正有）【課題】簡易な構造であって、地震による建物の倒壊によっても損壊することのない剛性構造を有する耐震家具用枠体、これを使用した耐震家具、及び取扱いが容易な組立て耐震家具用枠体、これを使用した組立て耐震家具を提供する。【解決手段】本組立て耐震家具用枠体３０は、地震による家屋の倒壊によっても損壊することのない剛性を有する第一枠体５０と同等の剛性を有する第二枠体６０を継ぎ手７０を用いて組立てる。支柱の外壁に溶接されたナットＮに螺合するボルトＢを用いて外壁に設けられたボルト貫通孔を介して継ぎ手を支柱に押圧・密着・固定する。この組立て耐震家具用枠体に天板等を取付けて、組立て耐震家具とする。【選択図】図６
0003165767.tif 000002
【実用新案登録請求の範囲】
【請求項１】
断面正方形の金属製角パイプの４本の支柱（１０１）と、
該４本の支柱の上部に断面正方形の金属製角パイプの短尺材（１０３）と長尺材（１０２）が溶接されてなる上段枠（１０５）と、
該４本の支柱（１０１）の中央部に断面正方形の金属製角パイプの短尺材（１０７）と長尺材（１０６）が溶接されてなる中段枠（１０９）と、上記４本の支柱のうちの相対する２本の支柱の下端部にビス用貫通孔（１１９）を備えた金属製のおび板状短尺材が溶接されてなる枠体補強材（１１８）と、からなり、
上記上段枠（１０５）及び上記中段枠（１０９）を構成する上記長尺材の各々に金属製角パイプを架渡してなる補強材（１０４）を備え、
上記上段枠と上記中段枠の間にアングル鋼材からなる上段抽斗受け（１１０）、及び上記中段枠の下部にアングル鋼材からなる下段抽斗受け（１１１）を備えたことを特徴とする耐震家具用枠体（１０）。
【請求項２】
上記上段抽斗受け（１１０）の下部に金属製角パイプからなる一本の長尺材（１１２）と二本の短尺材（１１３）からなる上段棚取付け部材を平面視でコの字状に備えた請求項１記載の耐震家具用枠体。
【請求項３】
更に、上記下段抽斗受け（１１０）の下部に金属製角パイプからなる一本の長尺材（１１４）と二本の短尺材（１１５）からなる下段棚取付け部材を平面視でコの字状に備え、上記下段棚取付け部材を構成する短尺材（１１５）に金属製角パイプからなる補強材（１１７）を架渡してなる請求項２に記載の耐震家具用枠体。
【請求項４】
請求項３に記載の耐震家具用枠体（１０）において、上記支柱の上端部の各々に嵌挿可能な天板固定具（２１０）と、上記上段枠上に天板（２０１）と、上記中段枠上に天板（２０１）と、上記上段抽斗受け（１１０）及び下段抽斗受け（１１１）の各々の上に抽斗（２０２）と、上記上段棚取付け材の上に棚板（２０３）と、を備えたことを特徴とする耐震家具（２０）。
【請求項５】
更に、上記下段棚取付け部材上に棚板（２０３）と、上記枠体補強材（１１８）の下にビス止めしてなる底板固定用木材（２０５）と、上記底板固定用木材（２０５）の下に設けた底板（２０７）と、上記耐震家具用枠体の裏側に裏板（２０６）と、を備えた請求項４記載の耐震家具（２０）。
【請求項６】
断面正方形の金属角パイプ製の４本の支柱（５０１）と、該４本の支柱の上部に断面正方形の金属角パイプ製の長尺材（５０２）及び断面が矩形のビス用貫通孔（５０５）を備えた短尺材（５０３）が溶接されてなる枠部（５０８）と、上記４本の支柱（５０１）の下部にビス用貫通孔（５０５）を備えた金属製の帯板状の短尺材が溶接されてなる枠体補強材（５０７）とを備え、上記長尺材（５０２）の各々にビス用貫通孔（５０５）を備えた金属製短尺角パイプを架渡してなる補強材（５０４）を備え、上記支柱にはアングル鋼材からなる抽斗受け（５０６）が設けられた第一枠体（５０）と、
断面正方形の金属角パイプ製の４本の支柱（６０１）と、該４本の支柱の上部に断面正方形の金属角パイプ製の長尺材（６０２）及び断面が矩形のビス用貫通孔（6０５）を備えた短尺材（６０３）が付設されてなる枠部（６０８）とを備え、
上記長尺材（６０２）の各々に、ビス用貫通孔（６０５）を備えた金属製短尺角パイプを架渡してなる補強材（６０４）を備え、上記支柱（６０１）には継手（７０）を係止するための固定用ボルト（Ｂ）を螺合するためのナット（Ｎ）が上記支柱の外壁面に溶接により配設され、該ナットに螺合された上記固定用ボルトが上記外壁面を貫通する貫通孔（Ｋ）が設けられ、上記支柱にはアングル鋼材からなる抽斗受け（６０６）が設けられた第二枠体（６０）と、
上記第一枠体と上記第二枠体を組立てるための角材からなる上記継手（７０）と、
からなり、
上記第一枠体の支柱（５０１）の各々と上記第二枠体の支柱（６０１）の各々とを上記継ぎ手（７０）を嵌挿して上記ナット（Ｎ）の各々に上記ボルト（Ｂ）を螺合して上記第一枠体の支柱の各々と上記第二枠体の支柱を固定してなることを特徴とする組立て耐震家具用枠体（３０）。
【請求項７】
請求項６に記載の耐震家具用枠体（３０）において、上記第一枠体（５０）の上記枠部（５０８）の上に設けた天板（４０１）と、上記第二枠体（６０）の上記枠部（６０８）の上に設けた天板（４０２）と、上記第一枠体（５０）の上記支柱の枠体補強材（５０７）の下に設けた補強木材（４０４）と、上記抽斗受けの各々の上に設けた抽斗（４０３）と、を備えることを特徴とする組立て耐震家具（４０）。
【請求項８】
請求項６に記載の上記第一枠体（５０）の上記枠部（５０８）の上に天板及び抽斗受け（５０６）に抽斗を設けたことを特徴とする耐震机。
【請求項９】
請求項６に記載の上記第二枠体（６０）の上記枠部（６０８）の上に天板及び抽斗受け（６０６）に抽斗を設けたことを特徴とする耐震机。
【考案の詳細な説明】
【技術分野】
【０００１】
本考案は、耐震家具用枠体とこれを使用した耐震家具に関する。詳しくは地震による倒壊する家屋によっても損壊することがない剛性構造の耐震家具用枠体と、これを使用した家具であって、地震発生時に内部に避難可能である耐震家具に関する。
【背景技術】
【０００２】
建物の倒壊、二階屋の一階部分の崩壊は地震発生から１０秒以内に起こると報告されている。同様に家具の転倒、照明器具あるいは天井部の落下等もこの間に発生する。このため被災者は屋外に避難するための時間的余裕は小さい。この地震による家屋倒壊等から人命を守るのは家屋内に剛性構造のシェルター機能を有し、内部に避難可能な耐震家具を備えるのが最も有効な方法と考えられる。特に幼児、高齢者及び身体が不自由は人には、有効な方法である。
本願考案者は、地震の被害から人命を守るために倒壊した家屋、家具の転倒、照明器具
あるいは天井部の落下等によっても損壊することのない剛性構造のシェルター機能を有す
る耐震家具を開示してきた（下記文献を参照）。本願考案は従来技術に比較して簡単な構
造であって、従来の耐震性を維持する耐震家具を提供するものであり、更にはこの耐震
家具用枠体及び耐震家具を組立て式として狭い場所にも分解して搬入することを可能とて、
完成した家具の搬入が困難な場所にも設置容易とした。また、この耐震家具を使用しない
場合は分解して収納容易とした。更にまた、分解した各々の家具を机等として他の機能を
有する家具として使用できるものを提供する。
【先行技術文献】
【特許文献】
【０００３】
【特許文献１】実用新案登録第３１４５６４９号
【特許文献２】実用新案登録第３１４９９５３号
【特許文献１】実用新案登録第３１２５２７７号
【特許文献１】実用新案登録第３１３０５６４号
【特許文献１】実用新案登録第３１５１３１３号
【特許文献１】実用新案登録第３１５６６０９号
【考案の開示】
【考案が解決しようとする課題】
【０００４】
本願考案は簡易な構造であって、地震による建物の倒壊によっても損壊することのない剛性構造を有する耐震家具用枠体、これを使用した耐震家具、及び取扱いが容易な組立て耐震家具用枠体、これを使用した組立て耐震家具を提供する。これらの耐震家具等は、おもに耐震棚及び耐震机等として利用される。
【課題を解決するための手段】
【０００５】
本願考案は下記のとおりである。
１．断面正方形の金属製角パイプの４本の支柱と、該４本の支柱の上部に断面正方形の金属製角パイプの短尺材と長尺材が溶接されてなる上段枠と、該４本の支柱の中央部に断面正方形の金属製角パイプの短尺材と長尺材が溶接されてなる中段枠と、上記４本の支柱のうちの相対する２本の支柱の下端部にビス用貫通孔を備えた金属製のおび板状短尺材が溶接されてなる枠体補強材と、からなり、上記上段枠及び上記中段枠を構成する上記長尺材の各々に金属製角パイプを架渡してなる補強材を備え、上記上段枠と上記中段枠の間にアングル鋼材からなる上段抽斗受け、及び上記中段枠の下部にアングル鋼材からなる下段抽斗受けを備えたことを特徴とする耐震家具用枠体。
【０００６】
２．上記上段抽斗受けの下部に金属製角パイプからなる一本の長尺材と二本の短尺材からなる上段棚取付け部材を平面視でコの字状に備えた上記耐震家具用枠体。
【０００７】
３．更に、上記下段抽斗受けの下部に金属製角パイプからなる一本の長尺材と二本の短尺材からなる下段棚取付け部材を平面視でコの字状に備え、上記下段棚取付け部材を構成する短尺材に金属製角パイプからなる補強材を架渡してなる上記耐震家具用枠体。
【０００８】
４．上記耐震家具用枠体において、上記支柱の上端部の各々に嵌挿可能な天板固定具と、上記上段枠上に天板と、上記中段枠上に天板と、上記上段抽斗受け及び下段抽斗受け（の各々の上に抽斗と、上記上段棚取付け材の上に棚板と、上記枠体補強材の下にビス止めしてなる底板固定用木材と、を備えたことを特徴とする耐震家具。
【０００９】
５．更に、上記下段棚取付け部材上に棚板と、上記枠体補強材の下にビス止めしてなる底板固定用木材と、上記底板固定用木材の下に設けた底板と、上記耐震家具用枠体の裏側に裏板と、を備えた上記耐震家具。 
６．断面正方形の金属角パイプ製の４本の支柱と、該４本の支柱の上部に断面正方形の金属角パイプ製の長尺材及び断面が矩形のビス用貫通孔を備えた短尺材が溶接されてなる枠部と、上記４本の支柱の下部にビス用貫通孔を備えた金属製の帯板状の短尺材が溶接されてなる枠体補強材とを備え、上記長尺材の各々にビス用貫通孔を備えた金属製短尺角パイプを架渡してなる補強材を備え、上記支柱にはアングル鋼材からなる抽斗受けが設けられた第一枠体と、断面正方形の金属角パイプ製の４本の支柱と、該４本の支柱の上部に断面正方形の金属角パイプ製の長尺材及び断面が矩形のビス用貫通孔を備えた短尺材が付設されてなる枠部とを備え、上記長尺材の各々に、ビス用貫通孔を備えた金属製短尺角パイプを架渡してなる補強材を備え、上記支柱には継手を係止するための固定用ボルトを螺合するためのナットが上記支柱の外壁面に溶接により配設され、該ナットに螺合された上記固定用ボルトが上記外壁面を貫通する貫通孔が設けられ、上記支柱にはアングル鋼材からなる抽斗受けが設けられた第二枠体と、上記第一枠体と上記第二枠体を組立てるための角材からなる上記継ぎ手と、からなり、上記第一枠体の支柱の各々と上記第二枠体の支柱の各々とを上記継ぎ手を嵌挿して上記ナットの各々に上記ボルトを螺合して上記第一枠体の支柱の各々と上記第二枠体の支柱を固定してなることを特徴とする組立て耐震家具用枠体。
７．請求項４に記載の耐震家具用枠体において、上記第一枠体の上記枠部の上に設けた天板と、上記第二枠体の上記枠部の上に設けた天板と、上記第一枠体の上記支柱の枠体補強材の下に設けた補強木材と、上記抽斗受けの各々の上に設けた抽斗と、を備えることを特徴とする組立て耐震家具。
８．請求項４に記載の上記第一枠体の上記枠部の上に天板及び抽斗を設けたことを特徴とする耐震机。
９．請求項４に記載の上記第二枠体の上記枠部の上に天板及び抽斗を設けたことを特徴とする耐震机。
【考案の効果】
【００１０】
本願耐震家具用枠体は、金属製角パイプを使用しているために垂直荷重及び水平荷重に対しても十分な強度を有する。このため地震による家屋の倒壊に本願耐震家具用枠体は破損することがなく安全である。
【００１１】
本願耐震家具は、垂直荷重及び水平荷重に対しても十分な強度を有するため、地震による家屋の倒壊によっても本願耐震家具は破損することがなく、更に天板を設けているため地震発生の際にこの本願耐震家具の内部に避難すれば地震による落下物に対しても安全である。
また、本願耐震家具は机としても、収納棚等としても多機能に使用が可能である。
更に、底板を設けているため和室に本願耐震家具を設置した場合でも畳を傷めることがない。
【００１２】
本願組立て耐震家具用枠体は、搬入が困難な狭い場所においても第一枠体と第二枠体に分離して搬入して組み立てることができる。
また、第一枠体の支柱と第二枠体の支柱とに嵌挿する継手で組立てられ、金属製角パイプを使用しているために垂直荷重及び水平荷重に対しても十分な強度を有する。このため地震による家屋の倒壊によっても破損することがなく安全である。
【００１３】
本願組立て耐震家具は、垂直荷重及び水平荷重に対しても十分な強度を有するため地震による家屋の倒壊によっても本願耐震家具は破損することがなく、更に天板を設けているため地震発生の際にこの本願耐震家具の内部に避難すれば地震による落下物に対しても安全である。
また、本願組立て耐震家具は机としても、収納棚等としても多機能に使用が可能である。
更に、本願耐震家具は分割して収納できるため取り扱いが容易である。また、分解した本願組立て耐震家具は、それぞれを机等として別個に独立して使用することも可能である。
【図面の簡単な説明】
【００１４】
【図１】本願考案の耐震家具用枠体の斜視図である。
【図２】天板等取付け説明図である。
【図３】本願考案の耐震家具の斜視図である。
【図４】本願考案の組立て耐震家具用枠体を構成する第一枠体の斜視図である。
【図５】本願考案の組立て耐震家具用枠体を構成する第二枠体の斜視図である。
【図６】本願考案の組立て耐震家具用枠体の組立て説明図である。
【図７】本願考案の組立て耐震家具用枠体の斜視図である。
【図８】図７に係るＡ−Ａ切断一部断面図である。
【図９】天板等取付け説明図である。
【図１０】本願考案の組立て耐震家具の斜視図である。
【図１１】第一枠体を使用した耐震机の斜視図である。
【図１２】第二枠体を使用した耐震机の斜視図である。
【考案を実施するための最良の形態】
【００１５】
以下、本願考案を実施するための最良の形態を図に基づいて詳細に説明する。これらの図中の記号（または番号）は、共通する部材の場合は省略している。また、図中において部材が明瞭である場合も省略している。これらの図は本願考案を説明するものであり、本願考案がこれらの図に拘束されるものではない。
【００１６】
［耐震家具用枠体］
以下の説明において「耐震」とは、地震による家屋の倒壊等により本願考案の耐震家具用枠体が損壊することがない剛性を有しているという意味に使用している。他の本願発明における「耐震」の意味は同様である。
【００１７】
図１は本願耐震家具用枠体１０の斜視図である。この耐震家具用枠体１０の支柱１０１、及び上部枠部１０５を構成する長尺材１０２、下部枠部１０９を構成する長尺材１０６は断面正方形の金属製パイプで作製される。この支柱と長尺材の断面寸法は同一のものが好ましい。同一であると溶接による接合が容易なためである。これらの角パイプは肉厚は
１．４ｍｍ〜１．８ｍｍであり、一片の寸法は４．０ｍｍ〜６．０ｍｍのものが好ましい。この寸法である場合は、軽量且つ強度が十分だからである。この支柱の長さ寸法は好ましくは１３５０ｍｍ〜１５５０ｍｍであり、長尺材の長さ寸法は好ましくは７５０ｍｍ〜８５０ｍｍである。この寸法であるとこの耐震家具用枠体１０を用いて耐震家具を製作した場合に使い勝手が良いためである。
【００１８】
これらの長尺材１０２及び１０６に短尺材１０３、１０７を直角に溶接して接合する。この短尺材１０３、１０７の断面形状は正方形とする。正方形とした場合は溶接が容易なためである。また、この補強材の断面寸法は特に制限はないが上記長尺材１０２，１０６と同一のものとすることができる。この短尺材の長さ寸法は好ましくは４５０ｍｍ〜５５０ｍｍとする。
【００１９】
上部枠部１０５、下部枠部１０９を構成する長尺材１０２，１０６に金属製角パイプを掛渡して補強材１０４とする。この補強材の長さ寸法は上述の短尺材と同一とする。この補強材の数は特に制限はないが通常２本用いられる。この補強材１０４の断面形状は矩形とする。矩形とした場合は溶接が容易なためである。また、この補強材の断面寸法は特に制限はないが上記長尺材１０２，１０６よりも小さいものとすることができる。
【００２０】
支柱１０１の下端部に金属製の帯板状の短尺材を補強材１１８として溶接する。この補強材に使用される金属製の帯板状の短尺材の長さ寸法は上述の短尺材の長さ寸法により決定される。幅寸法は上述の支柱１０１の一片の寸法と同一とすることが好ましい。この肉厚は好ましくは４．０ｍｍ〜５．０ｍｍとする。この補強材１１８には複数のビスを貫通するための貫通孔１１９が設けられる。後述する底板固定用木材２０５を固定するためである。
【００２１】
これらの支柱１０１には、上述の短尺材１０３、１０７と長さ寸法が同一のアングル鋼材を用いて、  抽斗受け１１０，１１１を溶接する。このアングル鋼材の一片の寸法は１５０ｍｍ〜２５０ｍｍが好ましい。また、肉厚は２．５ｍｍ〜３．５ｍｍが好ましい。強度が十分である上に軽量にすることができるためである。
【００２２】
また、支柱１０１には、上部棚受け部材として１本の金属製長尺角パイプ１１２，２本の金属製短尺角製パイプ１１３で平面視でコの字状に設けることができる。この長尺角パイプ１１２は上記補強材１０４と同一のものが使用できる。また、これらの２本の短尺材１１３も上記補強材１０４と同一の材料が使用できる。更に、支柱１０１には、下部棚受け部材として１本の金属製長尺角パイプ１１４，２本の金属製短尺角製パイプ１１５で平面視でコの字状に設けることができる。この長尺角パイプ１１４は上記補強材１０４と同一のものが使用できる。また、これらの２本の短尺材１１５も上記補強材１０４と同一のものが使用できる。これらの棚受け部材は耐震家具用枠体の剛性を補強する効果も有する。また、下段棚取付け材を構成する短尺材１１５に金属製角パイプからなる補強材１１７を架渡・溶接することが好ましい。
【００２３】
［耐震家具］
上述の耐震家具用枠体１０を使用して耐震家具２０を製作する。この耐震家具２０は机としても利用でき、また、収納棚等としても利用することができる。この耐震家具２０は、地震の発生とともにこの耐震家具２０の内部に避難することにより、地震による家屋の倒壊から被災者をまもることができる。また、地震による電気器具等の落下物からも被災者をまもることが可能である。地震による家屋の倒壊は地震が発生してから１０秒以内におこることが阪神淡路大震災で観測されている。従って、通常は屋外に避難する時間的余裕は無く、多大な犠牲者を出すことになった。
【００２４】
図２は、天板２０１、抽斗２０２、棚板２０３、底板２７０、裏板２０６等の取付け図である。これらの天板等は全て木製であり、集成材又はベニヤ板を使用する。上述の耐震家具用枠体１０の上に天板２０１を設置する。この天板を設置する際には、耐震家具用枠体１０の４本の支柱１０１の各々の上端部に天板固定具２１０を嵌挿する。この天板固定具２１０は支柱１０１と同一の断面寸法の短い角パイプ２０９に、嵌挿可能な角パイプ２０８又は、角木材２０８を固定して作成する。この天板固定具２１０が設けられたため、天板２０１は枠部１０５の上に載置するだけで前後左右にずれることなく安定して設置できる。この天板の厚さは特に限定は無いが好ましくは１５ｍｍ〜２５ｍｍである。この厚さであると軽量であり、且つ落下物による損壊を充分に防止できる。
【００２５】
底板２０７を取付ける際には、底板固定用木材２０５を枠体補強材１１８の下側にビス２１１で固定し、その後底板固定用木材２０５と底板２０７接着剤等で固定する。この底板２０７を取付けることにより和室においてこの家具を使用しても畳を傷めることは無い。また、この耐震家具のねじれに対する荷重強度が増加する。
【００２６】
裏板２６は、支柱１０１、長尺材１１４、補強材１１６、にビス（図示していない）等で取付ける。この裏板２６を取付けることにより本願耐震家具２０は、ねじれ荷重に対して一層効果的になる。抽斗２０２は抽斗受け１１０，１１１の上に設置し、棚板２０３は、上段棚受け部材、下段棚受け部材の上に載置する。
図３は本願組立て耐震家具２０の斜視図である。
【００２７】
［組立て耐震家具用枠体］
本願組立て耐震家具用枠体３０は第一枠体５０と第二枠体６０とを継手７０で固定し、組立てて作成される。
図４は第一枠体５０の斜視図である。四本の支柱５０１は断面正方形の金属製角パイプからなる。これらの角パイプは肉厚が１．４ｍｍ〜１．８ｍｍ、一片の寸法が４．０ｍｍ〜６．０ｍｍのものが好ましい。この寸法である場合は、軽量でありかつ強度が十分だからである。この支柱の長さ寸法は好ましくは６３０ｍｍ〜６７０ｍｍである。
【００２８】
この支柱に断面正方形の長尺材５０２及び断面が矩形の短尺材５０３を平面視で長方形に溶接する。この長尺材５０２、短尺材５０３及び後述の補強材５０４で枠部５０８を構成する。長尺材５０２の肉厚は１．４ｍｍ〜１．８ｍｍ、一片の寸法が４．０ｍｍ〜６．０ｍｍのものが好ましい。この寸法である場合は、軽量でありかつ強度が十分だからである。長尺材５０２の長さ寸法は好ましくは７５０ｍｍ〜８５０ｍｍである。この寸法であるとこの耐震家具用枠体１０を用いて耐震家具を製作した場合に使い勝手が良いためである。
【００２９】
この短尺材５０３の断面形状は矩形であり、長方形であることが好ましい。後述する天板の取付けが容易であるためである。この長方形の長辺の寸法は上述の長尺材５０２の一辺より小さいことが特に好ましい。これらの角パイプの肉厚は好ましくは１．４ｍｍ〜１．８ｍｍである。この短尺材５０３の長さ寸法は好ましくは４５０ｍｍ〜５５０ｍｍであり、また短尺材５０３はこの天板を取付け可能とするためのビス用貫通孔５０５を備える。この寸法範囲であるとこの組立て耐震家具用枠体３０を用いて組立て耐震家具４０を製作した場合に使い勝手が良いためである。
【００３０】
支柱５０１の下端に金属製の帯板状の短尺材を補強材５０７として溶接する。この補強材５０７に使用される金属製の帯板状の短尺材の長さ寸法は上述の上記短尺材５０３の長さ寸法により決定される。幅寸法は上述の支柱５０１の一片の寸法と同一とすることが好ましい。この肉厚は好ましくは４．０ｍｍ〜５．０ｍｍとすることができる。この補強材５０７には複数のビス４０５を貫通するためのビス用貫通孔５０５が設けられる。後述する底板固定用木材４０４を固定するためである。
【００３１】
枠部５０８を構成する長尺材５０２に金属製角パイプを掛渡して補強材５０４とする。この補強材５０４の長さ寸法は上述の短尺材と同一とする。この補強材の数は特に制限はないが通常２本用いられる。この補強材５０４の断面形状は矩形とする。矩形とした場合は溶接が容易なためである。また、この補強材の断面寸法は特に制限はないが上記長尺材５０２よりも小さいものとすることができる。天板をビスで固定することが容易なためである。
【００３２】
これらの支柱５０１には、上述の短尺材５０３と長さ寸法が同一のアングル鋼材を用いて、  抽斗受け５０６を溶接する。このアングル鋼材の断面の一辺の寸法は１５０ｍｍ〜２５０ｍｍが好ましい。また、肉厚は２．５ｍｍ〜３．５ｍｍが好ましい。強度が十分である上に軽量にすることができるためである。
【００３３】
上記４本の支柱５０１の各々の外壁には継ぎ手７０を固定するためのナットを溶接し、ナットＮの溶接された支柱の外壁には、このナットＮに螺合するボルトＢが貫通可能になるように貫通孔Ｋを設けることが好ましい。
【００３４】
図５は第二枠体６０の斜視図である。四本の支柱６０１は断面正方形の金属製角パイプからなる。これらの角パイプは肉厚が１．４ｍｍ〜１．８ｍｍ、一片の寸法が４０．０ｍｍ〜６０．０ｍｍのものが好ましい。この寸法である場合は、軽量でありかつ強度が十分だからである。この支柱の長さ寸法は好ましくは６５０ｍｍ〜６９０ｍｍである。
【００３５】
第二枠体６０の長尺材６０２、短尺材６０３及び補強材６０４で枠部６０８を構成する。
長尺材６０２、短尺材６０３、補強材６０４及び抽斗受け６０６は第一枠体５０のものがそのまま適用できる。上記４本の支柱６０１の各々の外壁には継手７０を固定するためのナットが溶接され、ナットＮの溶接された支柱の外壁には、このナットＮに螺合するボルトＢが貫通可能になるように貫通孔Ｋが設けられる。
【００３６】
図６は第一枠体５０と第二枠体６０の組立て説明図である。組立ては第一枠体５０と第二枠体６０のそれぞれの支柱５０１，６０１に継ぎ手７０を嵌挿する。この継手７０は断面正方形の棒状角材であり、この正方形の一辺は支柱を構成する断面正方形の金属製の角パイプに嵌挿が可能なものである。この継手７０の長さ寸法は、第一枠体５０の支柱５０１の長さと第二枠体６０の支柱６０１の長さの和を超えなければ特に制限は無い。この継ぎ手７０の材質は特に制限は無いが通常角木材又は角パイプを使用する。この継手７０を支柱に嵌挿した後、次いでボルトＢで支柱と継手７０を固定する。
【００３７】
図７は本願組立て家具用枠体の斜視図である。
図８は図７に係るＡ−Ａ切断一部省略断面図である。図８に示すとおり、支柱の内壁と継ぎ手７の外面（又は外壁）は密着して固定されるので、本願組立て家具用枠体にいかなる方向から荷重がかかった場合にも荷重によるがたつくことは生じない。
【００３８】
［組立て耐震家具］
図９は本願組立て家具用枠体３０への天板４０１等の取付け説明図である。天板４０１は第一枠体５０の枠部５０８の上に、天板４０２は第二枠体６０の枠部６０８の上に設ける。これらの天板は短尺材５０３，６０３、及び補強材５０４、６０４に設けられたビス用貫通孔５０５を介してビス４０５で固定される。補強木材４０４は枠体補強材５０７に設けられたビス用貫通孔を介してビス４０５で固定される。  
図１０は本願組立て耐震家具４０の斜視図である。この組立て耐震家具４０には上述の耐震家具２０と同様に底板及び裏板等を取付けることができる。
［耐震机］図１１は上述の第一枠体に天板及び抽斗を設けて、耐震机として単独に使用する場合の斜視図である。
［耐震机］図１２は上述の第二枠体に天板及び抽斗を設けて、耐震机として単独に使用する場合の斜視図である。
【実施例１】
【００３９】
〔耐震家具用枠体〕
Ａ．作製
図１に基づいて下記の金属製角パイプを使用して耐震家具用枠体を溶接で作製した。以下単位はｍｍである。
１．支柱        ：縦５０×横５０×長さ１４５０、肉厚：１．６
２．中段部短尺材：縦５０×横５０×長さ５００、肉厚：１．６  
３．中段部長尺材：縦５０×横５０×長さ８００、肉厚：１．６
４．上段部短尺材：縦５０×横５０×長さ５００、肉厚：１．６
５．上段部長尺材：縦５０×横５０×長さ８００、肉厚：１．６
６．補強材      ：縦３２×横１４×長さ５００、肉厚：１．６
７．抽斗受け    ：アングル鋼材２０×２０×長さ５００、肉厚：３．０
８．棚受け長尺材：縦３２×横１４×長さ８００、肉厚：１．６
９．棚受け短尺材：縦３２×横１４×長さ５００、肉厚：１．６
１０．補強材    ：縦３２×横１４×長さ８００、肉厚：１．６
１１．枠体補強材：幅５０×長さ９００、  肉厚：３．０
Ｂ．実施例の効果
愛知県産業研究所  工業技術部による荷重破壊試験において垂直荷重１８０．０ｋＮにおいて，なんら異常は認められなかった。
【実施例２】
【００４０】
〔耐震家具〕
Ａ．作製
本願耐震家具用枠体を使用して、図２に基づいて下記の材料を使用して耐震家具を作製した。以下単位はｍｍである。
１．天板：縦６００×横９００  肉厚：２０の集成材を使用して４角を正方形に切り落として載置した。
２．棚板１：縦３００×横９００×、肉厚：１．６の集成材を使用して２角を正方形に切り落として載置した。  
３．棚板２：縦４００×横９００×、肉厚：１．６の集成材を使用して２角を正方形に切り落として載置した。
４．抽斗：縦４００×横９００×深さ１００、肉厚：１．６のベニヤ板を用いて作製して、抽斗受け上に挿入した。
５．底板固定用木材：縦５０×横５０×長さ９００の角木材を使用してビスで固定した。
６．底板    ：縦６００×横９００  肉厚：１０のベニヤ板を使用して底板固定用木材にビスと接着剤を用いて固定した。
７．裏板：縦１４５０×横９００  肉厚：１０のベニヤ板を使用して長尺材、補強材にビスで固定した。
Ｂ．実施例の効果
愛知県産業研究所  工業技術部による荷重破壊試験において垂直荷重１８０．０ｋＮにおいて，底板固定用木材が２２ｍｍ圧縮した以外はなんら異常は認められなかった。
【実施例３】
【００４１】
〔組立て耐震家具用枠体〕
Ａ．作製
作製１
第一枠体の作製
１．支柱      ：縦５０×横５０×長さ６５０、肉厚：１．６
２．枠部短尺材：縦３２×横１４×長さ５００、肉厚：１．６
３．枠部長尺材：縦５０×横５０×長さ８００、肉厚：１．６
４．補強材      ：縦３２×横１４×長さ５００、肉厚：１．６
５．抽斗受け    ：アングル鋼材２０×２０×長さ５００、肉厚：３．０
６．枠体補強材  ：幅５０×長さ６００、  肉厚：４．５ 
作製２
第二枠体の作製
１．支柱        ：縦５０×横５０×長さ６７０、肉厚：１．６
２．枠部短尺材：縦３２×横１４×長さ５００、肉厚：１．６
３．枠部長尺材：縦５０×横５０×長さ８００、肉厚：１．６
４．抽斗受け    ：アングル鋼材２０×２０×長さ５００、肉厚：３．０
５．ナット      ：支柱に１７ｍｍの貫通孔を設け、貫通孔の上に１６ｍｍのボルトが螺合するナットを溶接した。
作製３
第一枠体と第二枠体の組立て
継ぎ手として一辺が４５ｍｍの断面正方形、長さ１１００ｍｍの角木材を使用して、第一枠体と第二枠体の支柱のそれぞれにこの継ぎ手を嵌挿して１６ｍｍのボルトで固定した。
Ｂ．実施例の効果
愛知県産業研究所  工業技術部による荷重破壊試験において垂直荷重１８０．０ｋＮにおいて，なんら異常は認められなかった。
【実施例４】
【００４２】
〔組立て耐震家具〕
Ａ．作製
本願組立て耐震家具用枠体を使用して、図９に基づいて下記の材料を使用して組立て耐震家具を作製した。以下単位はｍｍである。
１．上部天板：縦６００×横９００  肉厚：２０の集成材を使用して第一枠体の枠部に載置してビス用貫通孔を介してビスで固定した。
２．下部天板：縦６００×横９００  肉厚：２０の集成材の４角を正方形に切り落として第二枠体の枠部に載置してビス用貫通孔を介してビスで固定した。
３．抽斗：縦４００×横９００×深さ１００、肉厚：１．６のベニヤ板を用いて作製して、抽斗受け上に挿入した。
４．底板固定用木材：縦５０×横５０×長さ９００の角木材を使用してビスで固定した。
Ｂ．実施例の効果
愛知県産業研究所  工業技術部による荷重破壊試験において垂直荷重１８０．０ｋＮにおいて，なんら異常は認められなかった。
【実施例５】
【００４３】
〔耐震机〕
Ａ．作製
上述の実施例３において作製した第一枠体に、天板：縦６５０×横９５０  肉厚：２０の集成材を使用して第一枠体の枠部に載置してビス用貫通孔を介してビスで固定し、縦４００×横９００×深さ１００、肉厚：１．６のベニヤ板を用いて作製した抽斗を抽斗受け受け上に挿入した。
Ｂ．実施例の効果
愛知県産業研究所  工業技術部による荷重破壊試験において垂直荷重１８０．０ｋＮにおいて，なんら異常は認められなかった。
【実施例６】
【００４４】
〔耐震机〕
Ａ．作製
上述の実施例３において作製した第二枠体に、天板：縦６５０×横９５０  肉厚：２０の集成材を使用して第一枠体の枠部に載置してビス用貫通孔を介してビスで固定し、縦４００×横９００×深さ１００、肉厚：１．６のベニヤ板を用いて作製した抽斗を抽斗受け受け上に挿入した。
Ｂ．実施例の効果
愛知県産業研究所  工業技術部による荷重破壊試験において垂直荷重１８０．０ｋＮにおいて，なんら異常は認められなかった。
【符号の説明】
【００４５】
１０        耐震家具用枠体                  
１０１      支柱                      
１０２      長尺材
１０３      短尺材                      
１０４      補強材                
１０５      上段枠                
１０６      長尺材
１０７      短尺材                      
１０９      中段枠  
１１０      上段抽斗受け
１１１      下段抽斗受け
１１２      長尺材
１１３      短尺材
１１４      長尺材
１１５      短尺材
１１６      補強材
１１７      補強材
１１８      枠体補強材
１１９      ビス用貫通孔
２０        耐震家具
２０１      天板
２０２      抽斗
２０３      棚板
２０５      底板固定用木材
２０６      裏板
２０７      底板
２１０      天板固定具
２１１      ビス
３０        組立て耐震家具用枠体
４０        組立て耐震家具
４０１      天板
４０２      天板
４０３      抽斗
４０４      補強木材
４０５      ビス
５０        第一枠体
５０１      支柱
５０２      長尺材
５０３      短尺材
５０４      補強材
５０５      ビス用貫通孔
５０６      抽斗受け
５０７      枠体補強材
５０８      枠部
６０        第二枠体
６０１      支柱
６０２      長尺材
６０３      短尺材
６０４      補強材
６０６      抽斗受け
６０８      枠部
７０        継手
８０        第一枠体を使用した耐震机
９０        第二枠体を使用した耐震机
Ｂ          ボルト
Ｎ          ナット
Ｋ          貫通孔
【図１】
0003165767.tif 000003
【図２】
0003165767.tif 000004
【図３】
0003165767.tif 000005
【図４】
0003165767.tif 000006
【図５】
0003165767.tif 000007
【図６】
0003165767.tif 000008
【図７】
0003165767.tif 000009
【図８】
0003165767.tif 000010
【図９】
0003165767.tif 000011
【図１０】
0003165767.tif 000012
【図１１】
0003165767.tif 000013
【図１２】
0003165767.tif 000014